【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信の方法であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を備える、方法。
【請求項２】
前記決定されたリソースが、前記サブフレームに割り振られた全帯域幅の狭帯域部分を備える、請求項１に記載の方法。
【請求項３】
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、請求項２に記載の方法。
【請求項４】
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、請求項１に記載の方法。
【請求項５】
ワイヤレス通信の装置であって、
サブフレーム内の送信されるべき１つまたは複数のチャネルのタイプに少なくとも部分的に基づいて、前記サブフレーム内の共通基準信号（ＣＲＳ）を送信するためのリソースを決定するための手段と、
前記決定されたリソースを使用して前記ＣＲＳを送信するための手段と
を備える、装置。
【請求項６】
前記決定されたリソースが、前記サブフレームに割り振られた全帯域幅の狭帯域部分を備える、請求項５に記載の装置。
【請求項７】
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、請求項６に記載の装置。
【請求項８】
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、請求項５に記載の装置。
【請求項９】
ＵＥによるワイヤレス通信の方法であって、
前記ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定することと、
前記決定に基づいて前記サブフレームを処理することと
を備える、方法。
【請求項１０】
前記決定されたリソースが、前記サブフレームに割り振られた全帯域幅の狭帯域部分を備える、請求項９に記載の方法。
【請求項１１】
前記１つまたは複数の機能が、前記ＣＲＳに基づいてチャネル品質を測定することを備える、請求項９に記載の方法。
【請求項１２】
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、請求項９に記載の方法。
【請求項１３】
ワイヤレス通信の装置であって、
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定するための手段と、前記決定に基づいて前記サブフレームを処理するための手段と
を備える、装置。
【請求項１４】
前記決定されたリソースが、前記サブフレームに割り振られた全帯域幅の狭帯域部分を備える、請求項１３に記載の装置。
【請求項１５】
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、請求項１３に記載の装置。
【請求項１６】
前記請求項１乃至４、または請求項９乃至１２のうちのいずれかに従う方法を実行するための命令を備える、コンピュータプログラム。
【手続補正２】
【補正対象書類名】明細書
【補正対象項目名】００７４
【補正方法】変更
【補正の内容】
【００７４】
[0084]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレスノードによるワイヤレス通信の方法であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を備える、方法。
［Ｃ２］
前記決定されたリソースが、前記サブフレーム割り振られた全帯域幅の狭帯域部分を備える、Ｃ１に記載の方法。
［Ｃ３］
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、Ｃ２に記載の方法。
［Ｃ４］
物理ダウンリンク制御チャネル（ＰＤＣＣＨ）がまた、前記サブフレーム内で送信されるべきである場合、前記決定されたリソースが、前記サブフレームの制御領域の一部分だけに及ぶ広帯域リソースをさらに備える、Ｃ３に記載の方法。
［Ｃ５］
物理ブロードキャストチャネル（ＰＢＣＨ）、１次同期信号（ＰＳＳ）、２次同期信号（ＳＳＳ）および物理ダウンリンク制御チャネル（ＰＤＣＣＨ）がいずれも前記サブフレーム内で送信されるべきでない場合、狭帯域リソースが、前記サブフレームの制御領域の一部分だけに及ぶ、Ｃ２に記載の方法。
［Ｃ６］
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、Ｃ１に記載の方法。
［Ｃ７］
前記決定されたリソースが、前記制御領域の第１のシンボル長に及ぶ、Ｃ４に記載の方法。
［Ｃ８］
前記ワイヤレスノードがユーザ機器（ＵＥ）中継局を備える、Ｃ１に記載の方法。
［Ｃ９］
前記ワイヤレスノードが低電力クラスノードである、Ｃ１に記載の方法。
［Ｃ１０］
ワイヤレス通信の装置であって、
サブフレーム内の送信されるべき１つまたは複数のチャネルのタイプに少なくとも部分的に基づいて、前記サブフレーム内の共通基準信号（ＣＲＳ）を送信するためのリソースを決定するための手段と、
前記決定されたリソースを使用して前記ＣＲＳを送信するための手段と
を備える、装置。
［Ｃ１１］
前記決定されたリソースが、前記サブフレーム割り振られた全帯域幅の狭帯域部分を備える、Ｃ１０に記載の装置。
［Ｃ１２］
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、Ｃ１１に記載の装置。
［Ｃ１３］
物理ダウンリンク制御チャネル（ＰＤＣＣＨ）がまた、前記サブフレーム内で送信されるべきである場合、前記決定されたリソースが、前記サブフレームの制御領域の一部分だけに及ぶ広帯域リソースをさらに備える、Ｃ１２に記載の装置。
［Ｃ１４］
物理ブロードキャストチャネル（ＰＢＣＨ）、１次同期信号（ＰＳＳ）、２次同期信号（ＳＳＳ）および物理ダウンリンク制御チャネル（ＰＤＣＣＨ）がいずれも前記サブフレーム内で送信されるべきでない場合、狭帯域リソースが、前記サブフレームの制御領域の一部分だけに及ぶ、Ｃ１１に記載の装置。
［Ｃ１５］
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、Ｃ１０に記載の装置。
［Ｃ１６］
前記決定されたリソースが、前記制御領域の第１のシンボル長に及ぶ、Ｃ１３に記載の装置。
［Ｃ１７］
前記装置がユーザ機器（ＵＥ）中継局を備える、Ｃ１０に記載の装置。
［Ｃ１８］
前記装置が低電力クラスノードを備える、Ｃ１０に記載の装置。
［Ｃ１９］
ワイヤレス通信の装置であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を行うように構成されたプロセッサを備える、装置。
［Ｃ２０］
サブフレーム内の送信されるべき１つまたは複数のチャネルのタイプに少なくとも部分的に基づいて、前記サブフレーム内の共通基準信号（ＣＲＳ）を送信するためのリソースを決定するためのコードと、
前記決定されたリソースを使用して前記ＣＲＳを送信するためのコードと
を備える、コンピュータ可読媒体。
［Ｃ２１］
ＵＥによるワイヤレス通信の方法であって、
前記ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定することと、
前記決定に基づいて前記サブフレームを処理することと
を備える、方法。
［Ｃ２２］
前記決定されたリソースが、前記サブフレーム割り振られた全帯域幅の狭帯域部分を備える、Ｃ２１に記載の方法。
［Ｃ２３］
前記１つまたは複数の機能が、前記ＣＲＳに基づいてチャネル品質を測定することを備える、Ｃ２１に記載の方法。
［Ｃ２４］
前記１つまたは複数の機能が、前記サブフレーム内で送信される物理ブロードキャストチャネル（ＰＢＣＨ）、１次同期信号（ＰＳＳ）、または２次同期信号（ＳＳＳ）のうちの少なくとも１つを復号することを備える場合、狭帯域リソースが前記サブフレームの長さに及び、前記長さが制御領域とデータ領域の両方に及ぶ、Ｃ２２に記載の方法。
［Ｃ２５］
前記１つまたは複数の機能がまた、前記サブフレーム内で送信される物理ダウンリンク制御チャネル（ＰＤＣＣＨ）を復号することを備える場合、前記決定されたリソースが、前記サブフレームの制御領域の一部分だけに及ぶ広帯域リソースをさらに備える、Ｃ２４に記載の方法。
［Ｃ２６］
前記１つまたは複数の機能が、物理ブロードキャストチャネル（ＰＢＣＨ）、１次同期信号（ＰＳＳ）、２次同期信号（ＳＳＳ）および物理ダウンリンク制御チャネル（ＰＤＣＣＨ）をいずれも復号しないことを備える場合、狭帯域リソースが、前記サブフレームの制御領域の一部分だけに及ぶ、Ｃ２２に記載の方法。
［Ｃ２７］
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、Ｃ２１に記載の方法。
［Ｃ２８］
前記決定されたリソースが、前記制御領域の第１のシンボル長に及ぶ、Ｃ２７に記載の方法。
［Ｃ２９］
ワイヤレス通信の装置であって、
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定するための手段と、前記決定に基づいて前記サブフレームを処理するための手段とを備える、装置。
［Ｃ３０］
前記決定されたリソースが、前記サブフレーム割り振られた全帯域幅の狭帯域部分を備える、Ｃ２９に記載の装置。
［Ｃ３１］
前記１つまたは複数の機能が、前記ＣＲＳに基づいてチャネル品質を測定することを備える、Ｃ２９に記載の装置。
［Ｃ３２］
前記１つまたは複数の機能が、前記サブフレーム内で送信される物理ブロードキャストチャネル（ＰＢＣＨ）、１次同期信号（ＰＳＳ）、または２次同期信号（ＳＳＳ）のうちの少なくとも１つを復号することを備える場合、狭帯域リソースが前記サブフレームの長さに及び、前記長さが制御領域とデータ領域の両方に及ぶ、Ｃ３０に記載の装置。
［Ｃ３３］
前記１つまたは複数の機能がまた、前記サブフレーム内で送信される物理ダウンリンク制御チャネル（ＰＤＣＣＨ）を復号することを備える場合、前記決定されたリソースが、前記サブフレームの制御領域の一部分だけに及ぶ広帯域リソースをさらに備える、Ｃ３２に記載の装置。
［Ｃ３４］
前記１つまたは複数の機能が、物理ブロードキャストチャネル（ＰＢＣＨ）、１次同期信号（ＰＳＳ）、２次同期信号（ＳＳＳ）および物理ダウンリンク制御チャネル（ＰＤＣＣＨ）をいずれも復号しないことを備える場合、前記狭帯域リソースが、前記サブフレームの制御領域の一部分だけに及ぶ、Ｃ３０に記載の装置。
［Ｃ３５］
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、Ｃ２９に記載の装置。
［Ｃ３６］
前記決定されたリソースが、前記制御領域の第１のシンボル長に及ぶ、Ｃ３５に記載の装置。
［Ｃ３７］
ワイヤレス通信の装置であって、
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定することと、
前記決定に基づいて前記サブフレームを処理することと
を行うように構成されたプロセッサを備える、装置。
［Ｃ３８］
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定するためのコードと、
前記決定に基づいて前記サブフレームを処理するためのコードと
を備える、コンピュータ可読媒体。